(57)【要約】      （修正有）【課題】防災無線により送信される情報の内容に応じて、画像処理装置の動作を制御することを可能とする。【解決手段】ＭＦＰ１００が備える無線受信部２０２は、アンテナ２０１を介して、防災無線システムから情報を受信する。ＭＦＰ１００が備えるコントローラ部２０３は、受信した情報の内容に基づき、当該情報の重要度を決定する。そして、コントローラ部２０３は、決定した重要度に応じて、ユーザへ当該情報を報知する方法（通知動作）や復帰動作等、ＭＦＰ１００の動作を制御する。【選択図】図２
2017216577.tif 000002
【特許請求の範囲】
【請求項１】
画像処理装置であって、
防災無線システムから情報を受信する受信手段と、
前記受信した情報の内容に基づき、当該情報の重要度を決定する決定手段と、
前記決定した重要度に応じて、前記画像処理装置の動作を制御する制御手段と、を備えることを特徴とする画像処理装置。
【請求項２】
前記制御手段は、前記決定した重要度に応じて、前記受信した情報を通知するための動作、および前記画像処理装置を復帰させるための動作を制御することを特徴とする請求項１に記載の画像処理装置。
【請求項３】
前記制御手段は、前記決定した重要度に応じて、前記受信した情報を通知するための動作として、前記情報の表示部への表示、警告音の鳴動、前記情報の音声通知、音量の設定、発光部の点滅、前記情報の保存、または前記情報の印刷のうち少なくとも１つを制御することを特徴とする請求項２に記載の画像処理装置。
【請求項４】
前記制御手段は、前記決定した重要度が第１の重要度の場合、前記画像処理装置の電源を停止することを特徴とする請求項１乃至３のいずれか１項に記載の画像処理装置。
【請求項５】
前記制御手段は、前記決定した重要度が第１の重要度の場合、前記画像処理装置を復帰させるための動作として、
前記画像処理装置の各処理部における異常の有無の確認を促す表示を行い、
いずれかの前記処理部において異常がある場合、電源を投入せずにサービスマンに通知するように促す表示を行うことを特徴とする請求項２乃至４のいずれか１項に記載の画像処理装置。
【請求項６】
前記制御手段は、前記決定した重要度が第１の重要度の場合に、前記画像処理装置の各処理部における異常の有無の確認を促す表示を行う前に、ユーザの安全を確認する表示を行うことを特徴とする請求項５に記載の画像処理装置。
【請求項７】
前記制御手段は、前記決定した重要度が第２の重要度の場合、前記受信した情報を表示部へ表示するとともに、前記画像処理装置を復帰させるための動作として、前記表示した情報がユーザに伝達されたか否かの確認を行うことを特徴とする請求項４乃至６のいずれか１項に記載の画像処理装置。
【請求項８】
前記制御手段は、前記決定した重要度が第３の重要度の場合、前記受信した情報を表示部へ表示した後、前記第３の重要度に対応する前記画像処理装置を復帰させるための動作が正常に終了したと判断することを特徴とする請求項４乃至７のいずれか１項に記載の画像処理装置。
【請求項９】
前記受信した情報の内容が通知を必要とする内容か否かを示すキーワードを設定する設定手段をさらに備え、
前記設定手段は、災害の種類、地域、または時間のうち少なくとも１つに関するキーワードを設定し、
前記制御手段は、前記設定手段が設定したキーワードを含む情報に対して、前記重要度に応じて、前記画像処理装置の動作を制御することを特徴とする請求項１乃至８のいずれか１項に記載の画像処理装置。
【請求項１０】
前記決定手段は、前記受信した情報のヘッダ部に基づき、重要度を決定することを特徴とする請求項１乃至９のいずれか１項に記載の画像処理装置。
【請求項１１】
前記決定手段は、前記受信した情報が緊急地震速報または津波警報の場合に、当該情報の重要度は第１の重要度であると決定することを特徴とする請求項４乃至１０のいずれか１項に記載の画像処理装置。
【請求項１２】
画像処理装置の制御方法であって、
防災無線システムから情報を受信する工程と、
前記受信した情報の内容に基づき、当該情報の重要度を決定する工程と、
前記決定した重要度に応じて、前記画像処理装置の動作を制御する工程と、を有することを特徴とする画像処理装置の制御方法。
【請求項１３】
請求項１乃至１１のいずれか１項に記載の画像処理装置が備える各手段としてコンピュータを機能させるためのプログラム。
【発明の詳細な説明】
【技術分野】
【０００１】
本発明は、画像処理装置、制御方法、およびプログラムに関する。
【背景技術】
【０００２】
２８０ＭＨｚデジタル同報無線システムは、２８０ＭＨｚ電波を使用して、自治体などからの防災情報を含む各種情報を、配信サーバを介して各所に配置された送信機から送信を行う。住民は、２８０ＭＨｚ電波専用のチャンネルを持った防災無線ラジオを使用して、それらの情報を受信する。防災無線ラジオは、無線電波を受信すると、音声やランプの点滅で情報が送られたことを知らせる。
【０００３】
２８０ＭＨｚデジタル同報無線システムは、建物内部に電波が届き易いという特徴があり、オフィス等の建物内への防災無線情報の通知手段として注目されている。防災無線ラジオは、個人の住宅に設置して使用する事を考慮し、ラジオという形態をとっている。しかし、多くの人が昼間はオフィスで働いている事を考慮すると、防災情報をオフィス内の人々に知らせる手段が必要である。
【０００４】
２８０ＭＨｚ電波を使用した防災無線情報をオフィス内の人々に知らせる手段として、ＭＦＰ（Ｍｕｌｔｉｆｕｎｃｔｉｏｎ  Ｐｅｒｉｐｈｅｒａｌ）を使用する事が考えられる。その理由として少なくとも次の２つが挙げられる。１つ目の理由は、ＭＦＰが、オフィス内にはほぼ必ず設置されている点である。また、２つ目の理由は、ＭＦＰが、通常の動作を行ううえでユーザインタフェースとして各種通知手段を備えている点である。
【０００５】
例えば、防災無線情報の受信を音で知らせる手段としてスピーカーを用いることができる。また、光の点滅で知らせる手段としてＬＥＤ等の発光部や、情報を文字として表示して伝える手段として液晶ディスプレイを用いることができる。このように、ＭＦＰが既に備えている通知手段を通常動作および防災無線情報の通知に兼用することが可能なため、別途ラジオという形態で製品を購入するよりも、導入の際のコストやオフィス内のスペースを削減する事が可能となる。
【０００６】
一方、災害発生時には、ＭＦＰを設置した環境が大きく変化することでＭＦＰに重大な損傷が発生する可能性がある。例えば、地震によりＭＦＰに対して大きな衝撃が加えられることで、カートリッジからトナーが機器内部に散乱する可能性がある。また、津波や洪水で浸水することで、内部のケーブルの被膜が破れ、電気回路がショートした状態となる可能性もある。そのような状態において、ＭＦＰに電源を投入し起動した場合に、損傷に起因した火災や感電などの二次災害が発生する可能性がある。
【０００７】
特許文献１は、緊急地震速報に応じて複合機の緊急停止を可能とし、緊急停止信号に従って緊急停止された場合、ユーザによる操作入力を無効化すると共に、自己診断指示信号に従って自己診断を実行する複合機動作制御システムを開示している。
【先行技術文献】
【特許文献】
【０００８】
【特許文献１】特開２０１３−９０１７３号公報
【発明の概要】
【発明が解決しようとする課題】
【０００９】
しかしながら、特許文献１とは異なり、防災無線により送信される情報には、様々な種類の情報がある。また、災害に関する情報であっても、その災害のレベルも様々である。例えば、通常のお知らせレベルの情報から、注意報のレベル、警報のレベル、そして緊急性および重要性の高い、大規模な地震や津波の情報まで、様々な緊急度や重要度の情報が送信される。このように、防災無線による情報を用いるには、様々な種類および緊急度や重要度のレベルが異なる情報に対応してＭＦＰの動作を制御する必要があり、送信される全ての情報に対して同じ復帰動作を行うだけでは十分ではない。
【００１０】
本発明は、防災無線により送信される情報の内容に応じて、画像処理装置の動作を制御することを可能とする画像処理装置を提供することを目的とする。
【課題を解決するための手段】
【００１１】
本発明の一実施形態に係る画像処理装置は、防災無線システムから情報を受信する受信手段と、前記受信した情報の内容に基づき、当該情報の重要度を決定する決定手段と、前記決定した重要度に応じて、前記画像処理装置の動作を制御する制御手段と、を備える。
【発明の効果】
【００１２】
本発明の画像処理装置によれば、防災無線により送信される情報の内容に応じて、画像処理装置の動作を制御することが可能となる。
【図面の簡単な説明】
【００１３】
【図１】防災無線システムの構成を示す図である。
【図２】ＭＦＰの構成を示す図である。
【図３】無線受信部から入力される受信データの構成を示す図である。
【図４】ＵＩ部の構成を示す図である。
【図５】コントローラ部の構成を示す図である。
【図６】ＭＦＰ制御部の構成を示す図である。
【図７】重要度に応じた対応動作の設定情報を格納したデータの構成を示す図である。
【図８】ＭＦＰの電源投入後に実行される起動シーケンスを示す図である。
【図９】防災無線情報を受信した際のＭＦＰの制御を示す図である。
【図１０】ＭＦＰの復帰シーケンスを示す図である。
【図１１】復帰シーケンスが実行される際に表示部に表示される画面の一例である。
【図１２】復帰シーケンスが実行される際に表示部に表示される画面の一例である。
【図１３】防災無線情報を受信した際のＭＦＰの制御を示す図である。
【図１４】対応動作の設定情報を格納したデータの構成を示す図である。
【図１５】コントローラ部の構成を示す図である。
【図１６】キーワード情報の一例を示す図である。
【図１７】キーワード情報を連結したデータの構成を示す図である。
【発明を実施するための形態】
【００１４】
以下、本発明を実施するための形態について図面などを参照して説明する。
（第１実施形態）
【００１５】
図１は、本発明の第一実施形態における防災無線システムの構成を示す図である。
防災無線システムは、ＭＦＰ（Ｍｕｌｔｉｆｕｎｃｔｉｏｎ  Ｐｅｒｉｐｈｅｒａｌ）１００、自治体など、防災無線システムにおける情報発信元２００１〜２００３を備える。さらに、防災無線システムは、不図示の情報発信元を含む各情報発信元からの情報を管理発信する情報配信サーバ４００、情報配信サーバ４００からの情報を送信する送信局６００を備える。また、防災無線システムは、通信回線（インターネット）３００、光回線や衛星回線などの専用回線５００を備える。
【００１６】
防災無線情報は、情報発信元２００１〜２００３から通信回線３００を介して情報配信サーバ４００へ送信され、専用回線５００を介して送信局６００に送信される。送信局６００は、ＭＦＰ１００および不図示の各受信端末に対して無線通信を行う。ＭＦＰ１００は、送信局６００からの無線通信を受信する。このように、オフィス内のＭＦＰに防災無線の受信機能を持たせることにより、音や光、文字の表示等での通知以外でも、防災のため、または、実際に災害が発生した際にＭＦＰを役立てることが可能となる。
【００１７】
例えば、災害発生は、停電や、携帯端末からの基地局へのアクセスの集中などで、ＰＣや携帯端末での情報へのアクセスが困難になる。このような場合に、ＭＦＰが防災無線から情報を受信すると、周辺の地域や避難経路を示した地図のプリントアウトや、オフィス内の社員名簿や所在の確認リストのプリントアウト等の対応を取ることが考えられる。紙でプリントされた情報が非常に有益な情報となり、ＭＦＰを役立てることができる。
【００１８】
なお、本実施形態では、防災無線の受信機能をＭＦＰに持たせているが、これに限定されるものではなく、プリンタやスキャナ、ファクシミリ装置などの画像処理装置に適用することも可能である。
【００１９】
図２は、ＭＦＰ１００の構成を示す図である。
アンテナ２０１は、送信局６００から無線通信を受信する。無線受信部２０２は、アンテナ２０１によって受信された無線通信の電波をデジタルデータへと変換し、無線通信を受け取った事を示す受信通知信号と受信データとしてコントローラ部２０３へ出力する。
【００２０】
コントローラ部２０３は、スキャン部２０４、プリント部２０５、ＵＩ部２０６等の各部の制御を行う。コントローラ部２０３は、ＣＰＵやＣＰＵを内蔵したＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）等で構成される。また、コントローラ部２０３は、前述した受信通知信号および受信データを解析した結果に応じて最適なタイミングで電源制御信号を電源制御部２０７に出力する。
【００２１】
電源制御部２０７は、電源制御信号が入力されると、コントローラ部２０３やスキャン部２０４、プリント部２０５、ＵＩ部２０６等の各部に供給する電源（電源供給信号）の制御を行う。スキャン部２０４は、画像入力デバイスであり、ＣＣＤ等によって原稿を読み取ったデジタルデータをスキャン画像信号としてコントローラ部２０３へ出力する。スキャン部２０４の制御は、コントローラ部２０３からのスキャナ制御信号により行われる。
【００２２】
プリント部２０５は、画像出力デバイスであり、コントローラ部２０３から出力されたプリント画像信号を、インクやトナー等を使用して出力用紙にプリントし出力する。プリント部２０５の制御は、コントローラ部２０３からのプリンタ制御信号により行われる。ＵＩ部２０６は、ＭＦＰ１００の状態や、画像データの表示を行う。図４にＵＩ部２０６の構成を示す。
【００２３】
ＵＩ部は、表示部４０１、キー入力部４０２、スピーカー部４０３、発光部４０４、コントローラＩ／Ｆ４０５、及びＵＩ制御部４０６を備える。ＵＩ部２０６は、ディスプレイや、各種設定を行うボタンやスイッチ、テンキー、ディスプレイやボタン等を兼ねたタッチパネル等から構成される。また、本実施形態では、ＵＩ部２０６は、発光部やスピーカー等も含む。コントローラ部２０３からコントローラＩ／Ｆ４０５を介してＵＩ制御部４０６がＵＩ制御信号を受信し、ＵＩ部２０６の各部の制御を行う。防災無線情報を受信した際には、後述する表３の対応動作データに従って、受信した重要度に応じた方法でユーザに報知する。
【００２４】
ＭＦＰ１００においてコピー動作を行う場合は、ＵＩ部２０６からの設定に基づき、コントローラ部２０３にて各種画像処理の設定が行われる。設定が行われると、スキャン部２０４が稼働し、原稿を読み取り、アナログ・デジタル変換等を行った後、スキャン画像信号としてコントローラ部２０３へ出力する。コントローラ部２０３は、予め設定された各種設定に従って画像処理を行い、プリント出力用の画像データを生成する。コントローラ部２０３から出力されたプリント画像信号は、プリント部２０５に入力され、予め用意されている出力用紙へとプリントが行われる。
【００２５】
図５は、コントローラ部２０３の構成を示す図である。
ＭＦＰ制御部５０１は、コントローラ部２０３内の各処理部の制御を行う。図６は、ＭＦＰ制御部５０１の構成を示す図である。図６に示すように、ＭＦＰ制御部５０１は、ＣＰＵ６０１、ＲＯＭ６０２、ＲＡＭ６０３、制御部Ｉ／Ｆ６０４、およびシステムバス６０５を備える。ＣＰＵ６０１は、ＭＦＰ１００を制御するためのプログラムを実行するプロセッサである。ＲＯＭ６０２は、ＭＦＰ１００を制御するためのプログラムを格納する不揮発性のメモリデバイスである。
【００２６】
ＲＡＭ６０３は、ＣＰＵ６０１がプログラムを展開し、ワーク領域として一時的にデータを格納したり、画像データを処理する際の中間データを格納したりするために使用されるメモリデバイスである。制御部Ｉ／Ｆ６０４は、図５に示す制御信号やデータをやり取りするための信号とシステムバス６０５とを繋ぐためのバスブリッジである。システムバス６０５は、ＭＦＰ制御部５０１の各処理部を接続するためのバスである。ＭＦＰ制御部５０１の動作の詳細については後述する。
【００２７】
スキャン画像データ処理部５０２は、スキャン部２０４から入力されたスキャン画像データに対して、ＵＩ部２０６からの設定に基づき所定の画像処理を行う。さらに、スキャン画像データ処理部５０２は、処理後のスキャン画像データをＭＦＰ制御部５０１へと出力する。スキャン画像データをスキャン部２０４から読み込む為のスキャナ制御信号は、ＭＦＰ制御部５０１から出力される。スキャナ制御信号Ｉ／Ｆ部５０３は、スキャン部２０４とＭＦＰ制御部５０１との間でスキャン画像データやスキャナ制御信号の受け渡しを行う際のインタフェースである。
【００２８】
プリント画像データ処理部５０４は、ＭＦＰ制御部５０１から入力されたプリント画像データに対して、ＵＩ部２０６からの設定に基づき所定の画像処理を行う。さらに、プリント画像データ処理部５０４は、処理後のプリント画像データをプリント部２０５へと出力する。プリント画像データをプリント部２０５からプリント出力させる為のプリンタ制御信号は、ＭＦＰ制御部５０１から出力される。プリント制御信号Ｉ／Ｆ部５０５は、プリント部２０５とＭＦＰ制御部５０１との間でプリント画像データやプリンタ制御信号の受け渡しを行う際のインタフェースである。
【００２９】
ＵＩ制御信号Ｉ／Ｆ部５０６は、ＵＩ部２０６とＭＦＰ制御部５０１との間でＵＩ制御信号の受け渡しを行う際のインタフェースである。本実施形態において、防災無線を受信した際には、ＵＩ制御として、表示部４０１の本文部への文章の表示や、スピーカー部４０３からの警告音の鳴動、スピーカー部４０３からの音声による本文部の文章の伝達が行われる。さらに、ＵＩ制御として、スピーカー部４０３から出力される警告音や音声の音量調整や発光部４０４の点滅が行われる。
【００３０】
受信信号入力Ｉ／Ｆ部５０７は、無線受信部２０２からの受信データをコントローラ部２０３へ入力する際のインタフェースである。ヘッダ解析部５０８は、受信信号入力Ｉ／Ｆ部５０７から入力された受信データのヘッダ部の解析を行う。ヘッダ解析部５０８は、本実施形態では、受信データの上位２ｂｉｔの情報を元に、受信データの重要度を認識する。また、ヘッダ解析部５０８は、ヘッダ情報として、受信データの上位２ｂｉｔのデータをＭＦＰ制御部５０１へと出力する。受信データの重要度とヘッダ情報の２ｂｉｔとの関係は、表１を用いて後述する。
【００３１】
対応動作格納部５０９は、ヘッダ情報から認識された重要度に応じた対応動作の設定情報を図７のようなデータ（対応動作データ）として格納する。格納するデータは、表３に示すような、ＵＩ部２０６が行う各種の制御（通知動作の制御）や、本文部の文章（本文データ）の保存を実行するか否か、プリント出力を行うか否か等の設定情報を含む。ＣＰＵ６０１は、対応動作格納部５０９が格納する対応動作データをＵＩ部に通知、本文部のデータを保存、または保存したデータをプリント出力する。
【００３２】
さらに、ＣＰＵ６０１は、緊急性や重要度が高い情報を受信した場合は、シャットダウンシーケンスを実行してＭＦＰ１００本体の電源ＯＦＦ（電源の停止）を実行する。災害時出力画像データ格納部５１０は、防災無線情報を受信した際に、受信した情報とともに出力する、当該情報の重要度に応じた情報、例えば、周辺の地域や避難経路を示した地図、社員名簿や所在の確認リスト等を災害時出力画像データとして格納する。本文データ格納部５１１は、対応動作データにおいて、本文データを保存するように設定されている場合に、受信データの本文部の文章を格納する。
【００３３】
復帰制御フラグ格納部５１２は、ヘッダ情報から認識された重要度に応じた、復帰制御フラグ、および復帰制御フラグに応じた復帰動作（表２の復帰処理方法）の設定情報を格納する。本実施形態では、復帰制御フラグ格納部５１２は、不揮発性メモリの記憶デバイスによって構成されている。復帰制御フラグ格納部５１２に格納される設定情報の一例は、表２を用いて後述する。
【００３４】
図８は、ＭＦＰ１００の電源投入後に実行される、復帰制御フラグを用いた起動シーケンスを示すフローチャートである。
図８に示す処理は、コントローラ部２０３におけるＣＰＵ６０１が、ＲＯＭ６０２に格納されたプログラムに沿って実行する。まず、ステップＳ８０１において、ＭＦＰ１００に電源が投入されると、電源制御部２０７は、コントローラ部２０３へ電源を供給する。一方、電源制御部２０７は、スキャン部２０４、プリント部２０５、ＵＩ部２０６への電源供給をここでは行わない。コントローラ部２０３へ電源が供給されると同時にＭＦＰ制御部５０１へも電源が投入される。
【００３５】
次に、ステップＳ８０２において、ＭＦＰ制御部５０１は、不図示のリセット制御回路により、コントローラ部２０３のリセットが解除されるまで待機する。リセットが解除されると、ステップＳ８０３において、ＭＦＰ制御部５０１は、起動プログラムを予め格納してあるＲＯＭ６０２から読みこむ。そして、ＭＦＰ制御部５０１は、読みこんだ起動プログラムを実行する。具体的には、ＭＦＰ制御部５０１は、読みこんだ起動プログラムに沿って、起動プログラム以外の、ＭＦＰ１００を動作させるためのプログラムをＲＯＭ６０２または不図示のＨＤＤから読みこみ、ＲＡＭ６０３に展開して実行できるようにする。
【００３６】
ステップＳ８０５において、ＭＦＰ制御部５０１は、起動プログラムに含まれる初期化シーケンスを実行する。具体的には、各Ｉ／Ｆ部や各画像データ処理部、外部装置との接続等の初期化を実行する。ここで、ＵＩ部２０６の表示部用のデータが用意できると、ＭＦＰ制御部５０１は、電源制御部２０７がＵＩ部２０６へ電源を供給するように制御する。これにより、ＵＩ部２０６は、表示部４０１に起動画面などを表示することが可能となる。
【００３７】
ステップＳ８０６において、ＭＦＰ制御部５０１は、ＭＦＰ１００の起動時の初期化シーケンスの中で読みこんだ復帰制御フラグ格納部５１２の値に基づき、復帰制御フラグのｂｉｔが立っているか否かを確認する。復帰制御フラグの詳細については、後述する。ここで、復帰制御フラグが０（ステップＳ８０６でＮｏ）の場合は、ＭＦＰ制御部５０１は、ステップＳ８０９に進み、スキャン部２０４、プリント部２０５等の各処理部に電源を供給するように電源制御部２０７を制御する。
【００３８】
一方、後述する動作により復帰制御フラグが書きこまれ、復帰制御フラグが０以外（ステップＳ８０６でＹｅｓ）の場合は、ＭＦＰ制御部５０１は、ステップＳ８０７に進み、復帰シーケンスを実行する。復帰シーケンスの詳細については、後述する。ステップＳ８０７において、ＭＦＰ制御部５０１は、ユーザが安全にＭＦＰ１００を起動するための復帰シーケンスを実行する。ステップＳ８０８において、ＭＦＰ制御部５０１は、復帰シーケンスが正常に終了したか否かを確認する。
【００３９】
なお、ＣＰＵ６０１は、復帰シーケンスにおいて、ユーザの確認事項が全て確認済みと判断された場合に正常に終了したと判断する。復帰シーケンスが正常に終了した場合は、ステップＳ８０９に進み、電源制御部２０７を制御する。復帰シーケンスが正常に終了しなかった場合は、再度ステップＳ８０７の復帰シーケンスを実行し、ユーザに確認事項を確認する。なお、再度復帰シーケンスを実行する場合は、ユーザが未確認の事項のみを確認するように復帰シーケンスの内容を変更してもよい。
【００４０】
ステップＳ８０９において、ＭＦＰ制御部５０１は、電源制御部２０７がユーザによって安全が確認された各処理部に対して電源を供給するように制御する。以上のように、起動シーケンスを実行することにより、ＭＦＰ１００の電源投入時に、当該ＭＦＰ１００を安全に起動することが可能となる。
【００４１】
次に、ＭＦＰ１００が防災無線を受信した際に前述した復帰制御フラグを格納する方法について説明する。
図３は、本実施形態において無線受信部２０２から入力される受信データのデータフォーマットを示す図である。本実施形態における受信データは、２ｂｉｔ＋１ＫＢｙｔｅのデータからなり、上位２ｂｉｔは、ヘッダ部として使用され、下位の１ＫＢｙｔｅは、本文部として使用される。
【００４２】
本実施形態では、２ｂｉｔのヘッダ部が示す情報（ヘッダ情報）は、防災無線にて送られた情報（無線受信部２０２から入力される受信データ）の重要度を示している。下表にて、ヘッダ部が示す情報及び、本文部に記載される情報の例を示す。
【００４３】
【表１】
2017216577.tif 000003
【００４４】
ヘッダ情報が「００」の場合は、受信データの重要度は、「重要度０」とし、お知らせレベルの内容が情報として送られてきたことを示す。具体的には、表の本文例に示したような、「明日は区議会議員選挙の投票日です」といった内容である。ヘッダ情報が「０１」の場合は、受信データの重要度は、「重要度１」（第３の重要度）とし、注意報レベルの内容が情報として送られてきたことを示す。具体的には、表の本文例に示したような、「茨城県南部に大雨注意報が出ました」といった内容である。
【００４５】
ヘッダ情報が「１０」の場合は、受信データの重要度は、「重要度２」（第２の重要度）とし、警報レベルの内容が情報として送られてきたことを示す。具体的には、表の本文例に示したような、「都内２３区に大雨洪水警報が出ました」といった内容である。ヘッダ情報が「１１」の場合は、受信データの重要度は、「重要度３」（第１の重要度）とし、地震や津波など、緊急性および重要性の高いレベルの内容が情報として送られてきたことを示す。具体的には、表の本文例に示したような、「茨城県南部に震度５以上の地震が起きる可能性があります」といった内容である。
【００４６】
受信データの本文部（下位の１ＫＢｙｔｅ）は、表の本文例に示したような文章がコード化されたデータである。本実施形態では、文章のコード化にシフトＪＩＳコードを使用するが、これに限定されるものではない。
【００４７】
図９は、防災無線情報を受信した際のＭＦＰ１００の制御を示すフローチャートである。
本実施形態では、ＭＦＰ１００が、防災無線を受信すると、受信データのヘッダ情報を認識し、復帰制御フラグを保存する。その後、復帰シーケンスが実行される際に、当該復帰制御フラグを用いて復帰処理の方法を選択する。図９に示す処理は、コントローラ部２０３におけるＣＰＵ６０１が、ＲＯＭ６０２に格納されたプログラムに沿って実行する。
【００４８】
ステップＳ９０１において、ＭＦＰ１００は、通常動作の状態であるとする。通常動作とは、ＭＦＰ１００がコピー動作や、プリント動作を行っている状態のことである。また、スキャン部２０４、プリント部２０５、ＵＩ部２０６等の電源は入っているが動作はしていないスタンバイ状態の場合や、無線受信部２０２のみに電源が入っている状態も通常動作に含むものとする。また、所定の処理部以外の電源が入っていないスリープ状態などの場合も通常動作に含むものとする。
【００４９】
ステップＳ９０２において、ＭＦＰ制御部５０１は、防災無線情報を受信したか否かを判断する。詳細には、ＭＦＰ１００が通常動作の状態において、アンテナ２０１が防災無線情報を受信したか否かを判断する。防災無線情報を受信していない場合（ステップＳ９０２でＮｏ）、ＭＦＰ１００は、ステップＳ９０１の「通常動作」を続ける。防災無線情報を受信した場合（ステップＳ９０２でＹｅｓの場合）、処理はステップＳ９０３に進む。ステップＳ９０３において、無線受信部２０２が、アンテナ２０１から入力された防災無線情報をデジタルデータである受信データに変換する。
【００５０】
ステップＳ９０４において、ヘッダ解析部５０８は、ステップＳ９０３で生成された受信データのヘッダ部が示す情報（ヘッダ情報）を解析する。前述したように、ヘッダ情報には受信した防災無線情報の「重要度」が含まれている。ステップＳ９０５において、ＭＦＰ制御部５０１は、ステップＳ９０４で解析した「重要度」に基づきＭＦＰ１００を復帰する際にどのような復帰動作を行うか（復帰処理方法）を決定し、復帰制御フラグを復帰制御フラグ格納部５１２に書き込む。
【００５１】
下表に復帰制御フラグおよび復帰処理方法の対応の一例を示す。受信データのヘッダ情報に基づいて決まる当該受信データの重要度（重要度０、１、２、３）に応じて、復帰制御フラグ格納部５１２に格納された復帰制御フラグのｂｉｔが立てられる。具体的には、復帰制御フラグは、３ｂｉｔからなり、各ｂｉｔ（ｂｉｔ０，ｂｉｔ１，ｂｉｔ２）が立てられる。なお、復帰制御フラグ格納部５１２は、不揮発性のメモリで構成され、ＭＦＰ１００が電源ＯＦＦとなった後も格納した値は保持される。
【００５２】
ここで、下表の復帰制御フラグの列に記載されたｘは、前の状態を維持していることを示している。例えば、複数の防災無線情報を受信した場合に、最新の情報の重要度に対応するｂｉｔを立てるか、受信した情報のうち最も高い重要度に対応するｂｉｔを立てるように、復帰制御フラグを書き換えることが考えられる。受信した情報のうち最も高い重要度に対応するｂｉｔを立てた場合、最も高い重要度に対応する復帰シーケンスが実行されることになる。
【００５３】
また、受信した全ての情報に対応するｂｉｔを立てることも考えられる。この場合、上位のｂｉｔに対応する復帰シーケンスから実行されるが、復帰制御フラグの下位のｂｉｔに対しては、前の状態を維持しておくことにより、下位のｂｉｔに対応する復帰シーケンスも順番に実行することが可能となる。下表の設定は、ユーザがＵＩ部２０６などから自由に設定できる。また、復帰処理方法の詳細については後述するが、それぞれの重要度に応じてどのような復帰処理を行うかは、ユーザがＵＩ部２０６などから予め設定できるものとする。
【００５４】
【表２】
2017216577.tif 000004
【００５５】
ステップＳ９０６において、ＭＦＰ制御部５０１は、ステップＳ９０４で解析した「重要度」に基づき、ＭＦＰ１００の電源ＯＦＦを実行するか否かを判断する。具体的には、ＭＦＰ制御部５０１が、対応動作格納部５０９に格納された対応動作データから、受信データの重要度に応じた対応動作に関する設定情報を読み出して、実行する動作を決定する。重要度に応じた対応動作を格納した対応動作データの一例を下表に示す。
【００５６】
【表３】
2017216577.tif 000005
【００５７】
表３に示す、重要度に応じた対応動作として設定されている設定情報について以下で説明する。まず、「本文表示」とは、防災無線情報の本文部の文章をＵＩ部２０６に表示させることであり、各重要度に対して本文表示を行うか否かを「本文表示あり」または「本文表示なし」で設定する。「警告音」とは、ＵＩ部２０６のスピーカー部４０３から警告音を鳴動させることであり、各重要度に対して警告音の鳴動を行うか否かを「警告音あり」または「警告音なし」で設定する。
【００５８】
「音声通知」とは、ＵＩ部２０６のスピーカー部４０３から防災無線情報の本文部の文章を音声で出力させることであり、各重要度に対して音声通知を行うか否かを「音声通知あり」または「音声通知なし」で設定する。「音量設定」とは、ＵＩ部２０６のスピーカー部４０３から出力する音量の設定であり、各重要度に対して消音、小、中、大で設定することにより、いずれかの音量に切り替えて音声が出力される。
【００５９】
「発光部の点滅」とは、ＵＩ部２０６の発光部４０４を点滅させることであり、各重要度に対して点滅を行うか否かを「発光部の点滅あり」または「発光部の点滅なし」で設定する。「本文データの保存」とは、無線受信部２０２から入力される受信データの本文部の文章を本文データ格納部５１１に格納することであり、各重要度に対して保存を行うか否かを「本文データの保存をする」または「本文データの保存をしない」で設定する。
【００６０】
「情報をプリント」とは、無線受信部２０２から入力される受信データや予め登録された社員安否確認リストなどの関連情報を印刷させることであり、各重要度に対して印刷を行うか否かを「情報をプリントする」または「情報をプリントしない」で設定する。「電源ＯＦＦ」とは、緊急シャットダウンシーケンスを実行し、ＭＦＰ１００の電源ＯＦＦを実行することであり、各重要度に対して電源ＯＦＦを実行するか否かを「電源ＯＦＦする」または「電源ＯＦＦしない」で設定する。
【００６１】
なお、表３に示した、重要度に応じて設定される設定情報は一例であり、これに限定されるものではない。重要度に応じて他の動作が行われてもよく、また、設定情報の格納方法もこれに限られるものではない。例えば、重要度に応じて行われる動作のみを格納してもよい。
【００６２】
また、受信データの重要度が「重要度３」の場合に、表３において「電源ＯＦＦする」と設定されているため、ステップＳ９０６で電源ＯＦＦを実行すると判断され、ステップＳ９０７が実行される。ステップＳ９０６で電源ＯＦＦを実行しないと判断された場合は、復帰シーケンスが実行される。復帰シーケンスについては、図１０を用いて後述する。すなわち、ステップＳ９０６で電源ＯＦＦを実行しないと判断された場合は、図１０のステップＳ１００１へ進む。
【００６３】
図１０は、復帰シーケンスについて説明するためのフローチャートである。
復帰シーケンスは、ステップＳ９０５にて復帰制御フラグ格納部５１２に書き込んだ復帰制御フラグに基づき、重要度が高い順（上位ｂｉｔから順に）に実行される。図１０に示す処理は、コントローラ部２０３におけるＣＰＵ６０１が、ＲＯＭ６０２に格納されたプログラムに沿って実行する。
【００６４】
ステップＳ１００１において、ＭＦＰ制御部５０１は、ステップＳ９０５にて復帰制御フラグ格納部５１２に書き込んだ復帰制御フラグの２ｂｉｔ目が１か否かを判断する。復帰制御フラグの２ｂｉｔ目が１の場合は、ステップＳ１００２に進み、復帰制御フラグの２ｂｉｔ目が０の場合は、ステップＳ１０２１に進む。
【００６５】
ステップＳ１００２において、ＭＦＰ制御部５０１は、防災無線で受信した、重要度３（緊急地震速報・津波警報レベル）の本文部の文章をＵＩ部２０６に表示する。表１に示した重要度３の本文例のように、「茨城県南部に震度５以上の地震が起きる可能性があります」といった内容が図１１（Ａ）のように表示される。なお、ステップＳ１００２において、本文部の文章の表示以外に、表３に示した対応動作データで設定されている動作（ユーザへの通知方法）に従って、警告音や音声通知、発光部の点滅、本文データの保存、情報のプリント等も実行される。
【００６６】
ステップＳ１００３において、ＭＦＰ制御部５０１は、ユーザに受信データ（警報）の内容を伝達し、安全が確保されているかを確認する。これは、津波などの警報の場合、事象が発生する前に復帰シーケンスが実行されることがありうるためである。復帰シーケンスの実行よりも避難が優先されるように、ユーザに安全の確認を行う。
【００６７】
ここでは、例えば、ＵＩ部２０６の表示部４０１に、図１１（Ａ）のように、警報の内容とともに「非難する」と「安全確認」のボタンを表示することでユーザに確認を行う。「安全確認」のボタンが押下された場合、ステップＳ１００４へ進み、「避難する」のボタンが押下された場合、すなわち安全が確保されていることを確認できていない場合、ステップＳ１０１０へ進む。
【００６８】
ステップＳ１００４において、ＭＦＰ制御部５０１は、ユーザに対してＭＦＰ１００の周辺および外観に異常がないことを確認させる。例えば、ＵＩ部２０６の表示部４０１に、図１１（Ｂ）のような画面を表示する。浸水した形跡や本体形状に変形や損傷がないかを確認するためのメッセージを表示する。異常がある場合は、「サービスマンコールして終了する」ボタンをユーザが押すことにより、復帰シーケンスを終了する。異常がない場合は、「確認しました」ボタンをユーザが押下することにより、ステップＳ１００５に進む。
【００６９】
ステップＳ１００５において、ＭＦＰ制御部５０１は、ユーザに対して定着器に異常がないことを確認させる。例えば、ＵＩ部２０６の表示部４０１に、図１１（Ｃ）のような画面を表示する。ここで、ＵＩ部２０６に定着器を確認するためのガイダンス映像等を流してもよい。定着器周辺には高電圧、高熱を発生する機器があるため、感電や電気回路のショートによる火災が懸念される。そのため、定着器に変形や浸水などがないことをユーザに確認させる必要がある。定着器に異常がない場合は、「確認しました」ボタンをユーザが押下することにより、ステップＳ１００６に進む。定着器に異常がある場合は、「サービスマンコールして終了する」ボタンをユーザが押下することにより、復帰シーケンスを終了する。
【００７０】
ステップＳ１００６において、ＭＦＰ制御部５０１は、ユーザに対してトナーカートリッジに異常がないことを確認させる。例えば、ＵＩ部２０６の表示部４０１に、図１１（Ｄ）のような画面を表示する。ここで、ＵＩ部２０６にトナーカートリッジを確認するためのガイダンス映像等を流してもよい。トナーが飛散している場合は発火する可能性あるため、トナーが散在していないことをユーザに確認させる必要がある。トナーカートリッジに異常がない場合は、「確認しました」ボタンをユーザが押下することにより、ステップＳ１００７に進む。トナーカートリッジに異常がある場合は、「サービスマンコールして終了する」ボタンをユーザが押下することにより、復帰シーケンスを終了する。
【００７１】
ステップＳ１００７において、ＭＦＰ制御部５０１は、ユーザに対して中間転写ベルトに異常がないことを確認させる。例えば、ＵＩ部２０６の表示部４０１に、図１１（Ｅ）のような画面を表示する。ここで、ＵＩ部２０６に中間転写ベルトを確認するためのガイダンス映像等を流してもよい。中間転写ベルトが切れている場合は転写ローラーや内部のモーターが故障する可能性があるため、中間転写ベルトに異常がないことをユーザに確認させる必要がある。中間転写ベルトに異常がない場合は、「確認しました」ボタンをユーザが押下することにより、ステップＳ１００８に進む。中間転写ベルトに異常がある場合は、「サービスマンコールして終了する」ボタンをユーザが押下することにより、復帰シーケンスを終了する。
【００７２】
ステップＳ１００８において、ＭＦＰ制御部５０１は、ユーザに対して紙カセットに異常がないことを確認させる。例えば、ＵＩ部２０６の表示部４０１に、図１２（Ａ）のような画面を表示する。ここで、ＵＩ部２０６に紙カセットを確認するためのガイダンス映像等を流してもよい。紙カセットが浸水して用紙が汚れていたり、破れていたりした場合は紙詰まりや用紙搬送路のローラーなどを故障させる可能性があるため、紙カセットに異常がないことをユーザに確認させる必要がある。
【００７３】
紙カセットに異常がない場合は、「確認しました」ボタンをユーザが押下することにより、ステップＳ１００９に進む。紙カセットに異常がある場合は、「サービスマンコールして終了する」ボタンをユーザが押下することにより、復帰シーケンスを終了する。ステップＳ１００９において、ＭＦＰ制御部５０１は、ステップＳ９０５にて復帰制御フラグ格納部５１２に書き込んだ復帰制御フラグの２ｂｉｔ目を０にする。そして、復帰シーケンスを終了する。
【００７４】
一方、ステップ１００３において、ユーザの安全が確保されていることを確認できていない場合、ステップ１０１０において、ＭＦＰ制御部５０１は、ＵＩ部２０６に避難指示を表示するように制御する。ステップＳ１０１１において、ＭＦＰ制御部５０１は、ステップＳ１０１０で表示した避難指示が確認されたかまたはタイムアウトかを判断する。
【００７５】
例えば、ＵＩ部の表示部４０１に避難指示とともに「確認しました」ボタンを表示しておき、ユーザがボタンを押下した場合は、避難指示が確認されたと判断してステップＳ１０１２に進み、ＭＦＰ１００の電源ＯＦＦを実行する。また、例えば、あらかじめ設定した時間を経過した場合、タイムアウトと判断する。安全確保のためにステップＳ１０１２において、ＭＦＰ１００の電源ＯＦＦを実行する必要があるため、あらかじめ設定した時間が経過した後は、ユーザによる確認がなくても電源ＯＦＦを実行する。
【００７６】
ステップＳ１０２１において、ＭＦＰ制御部５０１は、ステップＳ９０５にて復帰制御フラグ格納部５１２に書き込んだ復帰制御フラグの１ｂｉｔ目が１か否かを判断する。復帰制御フラグの１ｂｉｔ目が１の場合は、ステップＳ１０２２に進み、復帰制御フラグの１ｂｉｔ目が０の場合は、ステップＳ１０３１に進む。
【００７７】
ステップＳ１０２２において、ＭＦＰ制御部５０１は、防災無線で受信した、重要度２（警報レベル）の本文部の文章をＵＩ部２０６に表示する。表１に示した重要度２の本文例のように、「都内２３区に大雨洪水警報が出ました」といった内容が図１２（Ｂ）のように表示される。なお、ステップＳ１０２２において、本文部の文章の表示以外に、表３に示した対応動作データで設定されている動作（ユーザへの通知方法）に従って、警告音や音声通知、発光部の点滅、本文データの保存等も実行される。
【００７８】
ステップＳ１０２３において、ＭＦＰ制御部５０１は、ユーザに受信データ（警報）の内容が伝達されたかを確認する。ここでは、例えば、ユーザに内容を確認することを促す表示を行う。例えば、ＵＩ部２０６の表示部４０１に、図１２（Ｂ）のように、警報の内容とともに「了解して続ける」ボタンを表示することで、ユーザに確認を行う。「了解して続ける」ボタンが押下された場合、ユーザが警報を確認したと判断して、ステップＳ１０２４に進む。
【００７９】
「了解して続ける」ボタンが押下されない、すなわち、ユーザが警報を確認したと判断できない、または一定時間が経過した場合、復帰制御フラグの１ｂｉｔ目を０にせず、１のまま復帰シーケンスを終了する。ステップＳ１０２４において、ＭＦＰ制御部５０１は、ステップＳ９０５にて復帰制御フラグ格納部５１２に書き込んだ復帰制御フラグの１ｂｉｔ目を０にする。そして、復帰シーケンスを終了する。
【００８０】
ステップＳ１０３１において、ＭＦＰ制御部５０１は、ステップＳ９０５にて復帰制御フラグ格納部５１２に書き込んだ復帰制御フラグの０ｂｉｔ目が１か否かを判断する。復帰制御フラグの０ｂｉｔ目が１の場合は、ステップＳ１０３２に進み、復帰制御フラグの０ｂｉｔ目が０の場合は、復帰シーケンスを終了する。
【００８１】
ステップＳ１０３２において、ＭＦＰ制御部５０１は、防災無線で受信した、重要度１（注意報レベル）の本文部の文章をＵＩ部２０６に表示する。表１に示した重要度１の本文例のように、「茨城県南部に大雨洪水注意報が出ました」といった内容が図１２（Ｃ）のように表示される。なお、ステップＳ１０３２において、本文部の文章の表示以外に、表３に示した対応動作データで設定されている動作（ユーザへの通知方法）に従って、警告音や音声通知、発光部の点滅、本文データの保存等も実行される。
【００８２】
ステップＳ１０３３において、ＭＦＰ制御部５０１は、ステップＳ９０５にて復帰制御フラグ格納部５１２に書き込んだ復帰制御フラグの０ｂｉｔ目を０にする。そして、復帰シーケンスを終了する。図１０に示した復帰シーケンスにおいて、全ての復帰制御フラグが０になると、図９のステップＳ９０１で説明した「通常動作」の状態に戻る。このとき、例えば、ＵＩ部２０６の表示部４０１に、図１２（Ｄ）のような表示を行ってもよい。
【００８３】
以上のように、本実施形態によれば、防災無線により送信される情報の内容に応じて、ユーザへ当該情報を報知する方法（通知動作）や復帰動作等、画像処理装置の動作を制御することが可能となる。これにより、ユーザの利便性を損なうことなく、画像処理装置を安全に通常動作に復帰させることができる。
【００８４】
例えば、お知らせレベルの情報が受信された場合は、ＭＦＰへの損傷に結び付く要因がないため、復帰動作を行う必要はなく、通常動作の状態を続ければよい。一方、注意報、警報や特別警報など、受信した情報によっては二次災害を防止するためにも安全に復帰させた方が良い場合がある。このような場合に、受信した情報のレベルに応じて、復帰動作を切り替えて実行できるように、画像処理装置の動作を制御することが可能である。
【００８５】
（第２実施形態）
第１実施形態では、防災無線情報を受信した際に、受信データのヘッダ部が示す情報（ヘッダ情報）の解析を行うことにより、受信データの重要度を決定し、当該重要度に応じてＭＦＰの制御を行った。しかし、ユーザによっては、送られてくる各種防災無線情報のうち、特定の種類や、特定の地域（例えば、ユーザ自身の所在地やその周辺の地域）、または特定の時間（時間帯）等、特定の条件を満たす情報のみ通知が必要な場合もありうる。また、特定の条件を満たす情報を受信したときのみ、上述したような復帰動作を行いたい場合もありうる。
【００８６】
そこで、本実施形態では、受信した防災無線情報のうち、種類や地域、時間等の条件を設定することにより、ユーザが必要とする情報のみ通知および当該情報に対応するＭＦＰの復帰動作を実行するように制御する場合について説明する。なお、本実施形態では、第１実施形態との差異のみについて説明し、その他の共通する部分についてはその説明を省略する。
【００８７】
図１３は、本実施形態に係る、防災無線情報を受信した際のＭＦＰ１００の制御を示すフローチャートである。
ステップＳ１２０１〜Ｓ１２０３は、図９のステップＳ９０１〜Ｓ９０３に示した第１実施形態における処理と同様のため、その説明を省略する。
【００８８】
ステップＳ１２０４において、キーワード解析部１４０２は、ステップＳ１２０３で生成された受信データの本文部が示す情報（文章）を解析する。本実施形態では、防災無線情報を受信した際に、ＭＦＰ１００の動作を制御するか否かを判断するキーワードを予め登録しておく。そして、ステップＳ１２０５において、ＭＦＰ制御部５０１は、本文部の文章にそのキーワードが含まれているか否かを判断する。キーワードが本文部の文章に含まれる場合は、ステップＳ１２０６に進み、キーワードが本文部の文章に含まれない場合は、ステップＳ１２０１に戻り、ＭＦＰ１００は通常動作の状態に戻る。
【００８９】
ステップＳ１２０６において、ヘッダ解析部５０８は、第１実施形態の場合（図９のステップ９０４）と同様に、ステップＳ９０３で生成された受信データのヘッダ部が示す情報を解析する。ステップＳ１２０７では、ＭＦＰ制御部５０１は、第１実施形態の場合に使用した、ヘッダ情報に応じて決まる受信データの重要度に加え、ステップＳ１２０５で抽出したキーワードをも用いて復帰制御フラグを書き込む。
【００９０】
下表に重要度およびキーワードに応じてどのように復帰制御フラグが書き込まれるか、また、それぞれの復帰制御フラグに対応する復帰処理方法の一例を示す。受信データのヘッダ情報に基づいて決まる当該受信データの重要度（重要度０、１、２、３）に加え、受信データが特定のキーワードを含むか否かに応じて、復帰制御フラグ格納部５１２に格納された復帰制御フラグのｂｉｔが立てられる。
【００９１】
本実施形態では、キーワードとして３種類（災害情報を表す災害キーワード、地域を情報を表す地域キーワード、時間情報を表すキーワード）を設定するが、これに限られるものではない。復帰制御フラグは、第１実施形態の場合と同様に３ｂｉｔからなり、各ｂｉｔ（ｂｉｔ０，ｂｉｔ１，ｂｉｔ２）が立てられる。
【００９２】
下表の各キーワードの列に記載された「ｄｏｎ’ｔ  ｃａｒｅ」は、全てのキーワードが当てはまることを示している。言い換えると、特定のキーワードが指定されていないため、必ず「ｄｏｎ’ｔ  ｃａｒｅ」に該当する項目（対応する重要度およびキーワードの項目）は条件を満たすことを示している。また、複数の条件を満たす場合には、復帰制御フラグの上位ｂｉｔが立てられる条件に対応する復帰処理方法を採用するものとする。なお、重要度に加え、各種キーワードに応じてどのような復帰処理を行うかは、ユーザがＵＩ部２０６などから予め設定できるものとする。
【００９３】
【表４】
2017216577.tif 000006
【００９４】
ステップＳ１２０８以降の処理は、図９のステップＳ９０６以降の処理と同様のため、その説明を省略する。このように、本実施形態では、第１実施形態と同様に、防災無線情報を受信した際、受信データのヘッダ情報を確認し、復帰制御フラグを格納する。そして、その後に実行される復帰シーケンスにおいて、当該格納した復帰制御フラグを用いて、受信データを通知するための動作（対応動作）および復帰処理方法（復帰動作）を選択することにより、ＭＦＰ１００の動作を制御する。
【００９５】
以下、キーワードを設定する方法について説明する。受信データの本文部に記載される文章は、ある程度決まったフォーマットで送信される。文章中には、キーワード解析部１４０２が内容を認識するために必要なキーワードが含まれる。具体的には、表１の本文例に示したような、「大雨」や「洪水」、「地震」等の災害の種類を示すキーワード、「茨城県南部」や「２３区」等の地域を示すキーワード、また、「明日」や「本日午後」等の時間を示すキーワード等である。本実施形態では、防災無線情報を受信した際にこれらのキーワードを含むか否かを認識し、キーワードを含む場合に、ＭＦＰ１００の制御が必要な情報が受信されたと判断して、ユーザの設定に従ってＭＦＰ１００の動作を制御する。
【００９６】
図１５は、本実施形態におけるコントローラ部２０３の構成を示す図である。
第１実施形態におけるコントローラ部２０３の構成（図５）と同一の構成には同一の符号を付し、その説明は省略する。本実施形態では、コントローラ部２０３は、キーワード格納部１４０１およびキーワード解析部１４０２を備える点が第１実施形態におけるコントローラ部２０３と異なる点である。以下、キーワード格納部１４０１およびキーワード解析部１４０２について説明する。
【００９７】
キーワード格納部１４０１は、不揮発性メモリ等の記憶デバイスによって構成されている。キーワード格納部１４０１には、防災無線情報を受信した際に、ユーザがＭＦＰ１００の動作の制御が必要と考える内容を示すようなキーワードを格納しておく。例えば、下表のようなキーワードを格納しておく。
【００９８】
【表５】
2017216577.tif 000007
【００９９】
本実施形態では、キーワードとして３種類（災害情報、地域情報、時間情報）に分類して格納しておく。災害情報を示すキーワードとして、例えば、「地震」、「津波」、「大雨」、「強風」、「竜巻」、「洪水」、「波浪」、「高潮」の８個のキーワードを設定しておく。また、地域情報を示すキーワードとして、「都内」、「多摩地区」、「埼玉県南部」、「埼玉県北部」、「千葉県南部」、「千葉県北部」、「茨城県南部」、「茨城県北部」の８個のキーワードを設定しておく。
【０１００】
また、時間情報を示すキーワードとして、「只今」、「秒後」、「分後」、「時間後」、「午前」、「午後」、「今夜」、「明日」の８個のキーワードを設定しておく。なお、本実施形態では、各キーワードは、シフトＪＩＳコードを用いてキーワード格納部１４０１に格納しておくが、これに限られるものではなく、どのような文字コードを用いても構わない。
【０１０１】
キーワード解析部１４０２は、防災無線情報を受信した際に、受信データとキーワード格納部１４０１に格納されたキーワードとのパターンマッチングを行う。そして、キーワード格納部１４０１に格納されたキーワードを受信データが含む場合、図１３のステップＳ１２０４の処理において、キーワード情報としてＭＦＰ制御部５０１に出力する。本実施形態では、ＭＦＰ制御部へ出力する情報のヘッダ部に、受信した情報のキーワード情報を含めて出力する。
【０１０２】
図１６は、キーワード情報の一例を示す図である。
図１６（Ａ）は、災害情報に関するキーワード情報（災害キーワード情報）を示している。災害情報を示すキーワードとして８種類のキーワードを設定しているため、災害キーワード情報は、８ｂｉｔのデータを使用する。そして、当該８ｂｉｔの上位ｂｉｔから順に、地震、津波、大雨、強風、竜巻、洪水、波浪、高潮の各キーワードを受信データが含むか否かを示す。例えば、防災無線により受信した情報に、「大雨洪水警報」という言葉が含まれていた場合、災害キーワード情報は、「００１００１００」という８ｂｉｔのデータとなる。
【０１０３】
図１６（Ｂ）は、地域情報に関するキーワード情報（地域キーワード情報）を示している。地域情報を示すキーワードとして８種類のキーワードを設定しているため、地域キーワード情報は、８ｂｉｔのデータを使用する。そして、当該８ｂｉｔの上位ｂｉｔから順に、都内、多摩地区、埼玉県南部、埼玉県北部、千葉県南部、千葉県北部、茨城県南部、茨城県北部の各キーワードを受信データが含むか否か示す。例えば、防災無線により受信した情報に、「都内２３区及び埼玉県南部」という言葉が含まれていた場合には、地域キーワード情報は、「１０１０００００」という８ｂｉｔのデータとなる。
【０１０４】
図１６（Ｃ）は、時間情報に関するキーワード情報（時間キーワード情報）を示している。時間情報を示すキーワードとして８種類のキーワードを設定しているため、時間キーワード情報は、８ｂｉｔのデータを使用する。そして、当該８ｂｉｔの上位ｂｉｔから順に、只今、秒後、分後、時間後、午前、午後、今夜、明日の各キーワードを受信データが含むか否かを示す。例えば、防災無線により受信した情報に、「今夜から明日にかけて」という言葉が含まれていた場合は、時間キーワード情報は、「００００００１１」という８ｂｉｔのデータとなる。
【０１０５】
第１実施形態では、防災無線情報を受信した際の対応動作は、表３に示したように、重要度に応じて設定されていた。これに対して、本実施形態では、重要度およびキーワードに応じてＭＦＰ１００の動作を制御する。下表は、本実施形態における、重要度およびキーワード情報（キーワードを含むか否かの情報）に応じた対応動作を格納した対応動作データの一例である。キーワードデータは、図１７に示すように、２４ｂｉｔ幅のデータである。これは、上述した災害キーワード情報を示す８ｂｉｔ、地域キーワード情報を示す８ｂｉｔ、時間キーワード情報を示す８ｂｉｔを上位ｂｉｔから順に連結したデータである。
【０１０６】
本実施形態における対応動作格納部５０９は、下表の重要度およびキーワードの有無に応じた対応動作を格納した対応動作データを図１４のようなデータとして格納しておく。また、これに加えて、上述した２４ｂｉｔのキーワードデータを格納しておく。図１４に示すように、対応動作データは、ヘッダ情報から認識された重要度および本文部から認識されたキーワード情報に応じた、情報の通知の方法や、本文データ保存の実行の有無、プリント出力の有無などの設定を含む。また、復帰制御フラグにおいてもキーワードデータに応じた復帰処理方法を選択するためのｂｉｔを復帰制御フラグに加えることになる。
【０１０７】
【表６】
2017216577.tif 000008
【０１０８】
防災無線情報を受信した際に、ユーザがＭＦＰ１００の動作の制御が必要と考える内容を示すようなキーワードに対応するｂｉｔ部分に「１」を設定し、制御が不要と考える内容を示すようなキーワードに対応するｂｉｔ部分には「０」を設定しておく。例えば、災害の種類として、地震と津波に関する情報を受信したときのみ、ＭＦＰ１００の動作を制御したい場合には、災害キーワード情報の８ｂｉｔを「１１００００００」と設定する。
【０１０９】
また、地域として、千葉県南部、千葉県北部に関する情報を受信したときのみＭＦＰ１００の動作を制御したい場合には、地域キーワード情報の８ｂｉｔを「００００１１００」と設定する。また、時間として、只今、秒後、分後、時間後といった直近の時間を示すようなキーワードを含む情報を受信したときのみＭＦＰ１００の動作を制御したい場合には、時間キーワード情報の８ｂｉｔを「１１１１００００」と設定する。上述した３つの８ｂｉｔデータを連結し、２４ｂｉｔ幅のキーワード情報として対応動作データに格納する。
【０１１０】
このように、本実施形態によれば、第１実施形態と同様の効果を奏する。さらに、本実施形態によれば、ユーザが必要と考える情報に対してのみ、ユーザへの情報の報知（対応動作）と復帰動作を含むＭＦＰ１００の動作の制御が実行される。また、対応動作および復帰動作の内容は、重要度およびキーワードに応じて決められる。
【０１１１】
なお、本実施形態では、キーワードを含まない情報が受信された場合は、対応動作や復帰動作は行わないが、これに限られるものではなく、重要度が高い情報が受信された場合は、ＭＦＰの動作の制御を行ってもよい。これらの処理は、ＭＦＰ制御部５０１で行われ、対応動作の制御は、ＭＦＰ制御部５０１からＵＩ制御信号を出力することによりＵＩ部２０６が行う。
【０１１２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【０１１３】
以上、本発明の好ましい実施形態について説明したが、本発明は、これらの実施形態に限定されず、その要旨の範囲内で種々の変形および変更が可能である。
【符号の説明】
【０１１４】
１００    ＭＦＰ
２０２    無線受信部
２０３    コントローラ部
５０１    ＭＦＰ制御部
５０８    ヘッダ解析部
【図１】
2017216577.tif 000009
【図２】
2017216577.tif 000010
【図３】
2017216577.tif 000011
【図４】
2017216577.tif 000012
【図５】
2017216577.tif 000013
【図６】
2017216577.tif 000014
【図７】
2017216577.tif 000015
【図８】
2017216577.tif 000016
【図９】
2017216577.tif 000017
【図１０】
2017216577.tif 000018
【図１１】
2017216577.tif 000019
【図１２】
2017216577.tif 000020
【図１３】
2017216577.tif 000021
【図１４】
2017216577.tif 000022
【図１５】
2017216577.tif 000023
【図１６】
2017216577.tif 000024
【図１７】
2017216577.tif 000025